(57)【要約】【課題】骨軟骨欠損症のモデルを使用している負荷支持性の種々の領域内における軟骨再生のための移植装置を提供する。【解決手段】上記の移植片は種々の吸収性の高分子材料により形成されている。この移植片は一定の骨プラットホームの関節面からその移植片を介してそのプラットホームの肋軟骨下骨の全体の領域に負荷を伝達するように設計されている。この様式において負荷を供給することにより、減少された肋軟骨下骨の吸収が生じて、その関節が安定化して正常な関節の生体力学が維持される。上記の移植片は一定の吸収性の支持骨格または基質の材料をその中に組み込むことを可能にしている。本発明の移植片は種々の工作された支持骨格装置を用いることにより、負荷支持性の種々の関節表面において軟骨を再生することの現在における不可能さを解消している。【選択図】図１
2005169117.tif 000002
【特許請求の範囲】
【請求項１】
骨軟骨欠損症に対応する移植装置において、
一定の吸収性で生体適合性の材料により作成されている第１のプレート、
前記吸収性で生体適合性の材料により作成されている第２のプレート、および
前記吸収性で生体適合性の材料により作成されていて前記第１のプレートと前記第２のプレートとの間に配置されている一定の負荷転移構造を備えている移植装置。
【請求項２】
前記吸収性で生体適合性の材料が一定のポリマーである請求項１に記載の移植装置。
【請求項３】
前記ポリマーがポリエステルを含む請求項２に記載の移植装置。
【請求項４】
前記第２のプレートが多孔質である請求項１に記載の移植装置。
【請求項５】
前記第１のプレート、前記第２のプレートおよび前記負荷転移構造が単一の構造を含む請求項１に記載の移植装置。
【請求項６】
前記負荷転移構造が前記第１のプレートに対して一体であり、前記第２のプレートにより受容可能である請求項１に記載の移植装置。
【請求項７】
さらに、前記第２のプレートから延出している一定の固定装置を備えている請求項１に記載の移植装置。
【請求項８】
一定の骨軟骨欠損症に対応する移植装置において、
一定の吸収性で生体適合性のポリマーにより作成されている一定の上部プレート、
前記吸収性で生体適合性のポリマーにより作成されていて複数の露出用のボアを有する一定の下部プレート、および
前記上部プレートと前記下部プレートとの間に配置されている一定の負荷転移構造を備えている移植装置。
【請求項９】
さらに、前記下部プレートの一定の下面部から軸方向に延出している一定の固定部材を備えている請求項８に記載の移植装置。
【請求項１０】
前記固定部材が複数の半径方向に延出している突起部を有している一定のステム部を含む請求項９に記載の移植装置。
【請求項１１】
前記移植装置が前記上部プレートと前記下部プレートとの間に一定の吸収性の軟骨支持骨格を受容することに適合している請求項８に記載の移植装置。
【請求項１２】
前記負荷転移構造が前記上部プレートと一体であり前記下部プレートにより受容可能である請求項８に記載の移植装置。
【請求項１３】
前記負荷転移構造が前記下部プレートの中の受容用のボアの中にプレス嵌めされるように構成されている一定の取付構造を含む請求項１２に記載の移植装置。
【請求項１４】
前記負荷転移構造が複数の個別の支持体を含み、前記取付構造がそれぞれの個別の支持体に付随している一定の取付部品を含む請求項１３に記載の移植装置。
【請求項１５】
負荷支持性の骨の関節表面に対応する一定の移植片において、
一定の生体吸収性のポリマーにより作成されていて一定の上部の中心ボアを有している一定の上部プレート、
前記生体吸収性のポリマーにより作成されていて複数の露出用のボアにより囲まれている一定の下部の中心ボアを有している一定の下部プレート、および
前記上部プレートの一定の下面部と前記下部プレートの一定の上面部との間に配置されている複数の負荷転移用の支持体を備えており、これらの負荷転移用の支持体が前記上部および下部の中心ボアを囲っている移植片。
【請求項１６】
一定の支持骨格保持用の領域が前記負荷転移用の支持体の周囲に定められている請求項１５に記載の移植片。
【請求項１７】
さらに、
前記下部プレートの一定の下面部から軸方向に延出している一定の固定部材を含む請求項１５に記載の移植片。
【請求項１８】
前記固定部材が
前記上部および下部の中心ボアに対して同軸である一定の中心ボアを有する一定の管、および
前記管の一定の外表面部から半径方向に延出している複数の保持用のフランジを含む請求項１７に記載の移植片。
【請求項１９】
前記負荷転移構造が前記上部プレートに対して一体であり、前記下部プレートにより受容可能である請求項１５に記載の移植片。
【請求項２０】
前記負荷転移構造が前記下部プレートの中の受容用のボアの中にプレス嵌めされるように構成されている一定の取付構造を含む請求項１９に記載の移植片。
【請求項２１】
前記負荷転移構造が複数の個別の支持体を含み、前記取付構造がそれぞれの個別の支持体に付随している一定の取付部品を含む請求項２０に記載の移植片。
【発明の詳細な説明】
【技術分野】
【０００１】
本発明は負荷を支持するおよび／または肋軟骨下骨の吸収の傾向を有する領域内における軟骨組織の再生に関連しており、特に、肋軟骨下骨の吸収を減少することにより負荷を支持する領域内における軟骨組織の再生を高めるための一定の移植装置に関連している。
【背景技術】
【０００２】
種々の関節の損傷部分の修復および／または再生のための現行の技法（自原性の軟骨移植およびモザイク形成術）はこれらが健康な組織を採取することを必要としていることにより不十分であると考えられている。従って、自原性の組織供給源の使用を伴わずに治療を受ける種々の領域の中にヒアリン様の組織の伝達を刺激する能力を有する種々の工作された装置の開発に研究が集中している。これらの装置は最適化されている支持骨格として考えることができる。
【０００３】
関節軟骨再生の生体内における研究は一般的に２種類の動物モデル、すなわち、骨軟骨欠損症および全層性軟骨欠損症の内のいずれかを利用している。この骨軟骨欠損症のモデルは損傷した骨床に対する接近が前駆体細胞を漸増して固有の傷治癒応答を高めると考えられるので軟骨の新組織の再生において理想的である。実際に、負荷を支持しないまたは非負荷支持性の領域内における骨軟骨欠損症は線維組織を伴うが自発的に治癒する。しかしながら、負荷を支持するまたは負荷支持性の領域は自発的に治癒することが知られておらず、骨の壁部の吸収および窩の損傷の形成を伴うことを特徴としている。
【０００４】
負荷支持性の表面部分が良好な結果を伴って調査されている場合において、肋軟骨下板を傷つけない場合が選ばれている（例えば、全層性軟骨欠損症のモデル）。しかしながら、この軟骨欠損症のモデルは造血性の傷治癒応答を生じないので、自発的な再生が起こらず、そのために、種々の細胞療法がこのような状況において通常的に用いられている。一例の注目に値する例外がモザイク形成術（mosaicplasty）である。大腿骨顆（骨軟骨）欠損症におけるモザイク形成術は肋軟骨下骨の構造を維持することを示されており、さらに生理学的な力の供給が肋軟骨下骨の構造の完全性を維持することにおいて一定の役割を果たすことを示している。
【０００５】
特に、モザイク形成術は軟骨性の栓またはプラグを利用しているが、別の部位からの組織の採取を必要とするために、この技法は最適状態に及ばないとして考えられる場合がある。それゆえ、種々の移植装置の使用に研究が集中している。米国特許出願公開第２００１／００３９４５５Ａ１号において、近接している骨または軟骨組織の層の物質の特性をまねているプロテーゼの生体適合性の種々のポリウレタン・プラグが記載されている。これらの移植片は一定の非吸収性の軟骨用の材料により一定の軟骨の欠損部を充たすことを目的としている。しかしながら、肋軟骨下骨に対する負荷の供給については言及されていない。
【０００６】
軟骨再生中の負荷の使用は幾つかの刊行物において記載されている。米国特許第６，５３０，９５６号において、移植した軟骨細胞により接種されている高度に多孔質の材料により構成されている一定の吸収性のケージ様の支持骨格が記載されている。この場合に、組織の再生中に上記ケージ様の支持骨格における細胞増殖用の各区画部分を保護するために圧縮性の力に耐えてこれに抵抗するための負荷がそのケージ様の支持骨格に関連して論じられている。
【０００７】
また、米国特許第６，５１１，５１１号は一定の線維により補強した多孔質で生体崩壊性の移植片を記載しており、この場合に、これらの線維は上記支持骨格に強度および剛性を賦与するために支柱のように作用して生理学的な種々の負荷を支持している。一例の特定の実施形態は骨軟骨欠損症に対応している。しかしながら、負荷は上記の装置が上記の欠損症における高い圧縮性の応力に抵抗して組織の再生中に移植片を保護することのみに関連して論じられている。同様の様式で、米国特許出願公開第２００２／０１１９１７７号は一定のメッシュ様の布地を用いている一定の吸収性の発泡体基質の機械特性および取扱性を改善するための方法を記載している。この補強用のメッシュ材の主な目的は外科的な取り扱いにおけるその発泡体部品の構造の完全性を維持することである。
【０００８】
さらに、米国特許出願公開第２００３／０１０８５８７号において、細胞増殖、従って傷の治癒を誘発するために細胞に圧縮力、張力、剪断力およびその他の生体力学的な力を誘発することのできる一定の移植可能な装置が記載されている。この装置は本質的に種々の材料特性または外力の供給により細胞にマイクロメカニクス的な刺激を与える一定の生体反応装置である。しかしながら、この装置は軟骨の再生に関連して教示されていて、本発明におけるような肋軟骨下骨の治癒に関連して教示されていない。
【０００９】
従って、肋軟骨下骨に同時に負荷を供給する関節軟骨の再生のための一定の装置に対する要望が存在している。
【特許文献１】米国特許出願公開第２００１／００３９４５５Ａ１号明細書
【特許文献２】米国特許第６，５３０，９５６号明細書
【特許文献３】米国特許第６，５１１，５１１号明細書
【特許文献４】米国特許出願公開第２００２／０１１９１７７号明細書
【特許文献５】米国特許出願公開第２００３／０１０８５８７号明細書
【発明の開示】
【発明が解決しようとする課題】
【００１０】
従って、本発明の目的は負荷支持性の領域内における軟骨再生のための一定の移植片を提供することである。
【００１１】
従って、本発明の別の目的は一定の負荷を一定の骨のプラットホームにおける一定の関節の表面から肋軟骨下骨に供給する一定の移植片を提供することである。
【００１２】
本発明のさらに別の目的は肋軟骨下骨の吸収を減少するための一定の負荷支持性の移植片を提供することである。
【課題を解決するための手段】
【００１３】
一例の形態において、本発明は骨軟骨欠損部分に一定の負荷を供給するための一定の移植装置である。また、別の形態において、本発明は負荷支持性の種々の領域内における骨軟骨欠損部分の軟骨再生を行なう。上記の移植片は一体型の装置として様式化することができ、あるいは、互いに取り付けられる２個以上の部分として様式化することも可能である。
【００１４】
上記移植片は一定の上部プラットホーム構造および一定の下部プラットホーム構造を含む、一定の負荷転移構造がこれらの間に配置されている。さらに、上記移植片を欠損領域に固定することを補助する一定の固定構造を含むことができる。また、上記移植片は種々のポリエステル（ポリラクチド、ポリグリコリド、ポリカプロラクトン、ポリジオキサノン、またはこれらの組み合わせ物）等のような１種類以上の吸収性の高分子材料、これらの吸収性のポリマーの種々のコポリマー、またはこれらの混合物により構成されている。
【００１５】
上記下部プラットホーム構造は好ましくは剛性であり（あるいは上部プラットホーム構造も剛性であり）、多孔質にすることができ、あるいは、肋軟骨下骨からの種々の生物学的要素（例えば、血液および骨髄）への接近を可能にする複数の気孔または穴を含むことができる。この移植片はまた上記欠損領域内における軟骨再生のための一定の吸収性の支持骨格または基質材料の受容および保持も可能にする。
【００１６】
特に、一例の形態において、一定の骨軟骨欠損症のための一定の移植装置が提供されている。この移植装置は一定の吸収性で生体適合性の材料により作成されている第１のプレート、上記の吸収性で生体適合性の材料により作成されている第２のプレート、および上記の吸収性で生体適合性の材料により作成されていて上記第１のプレートと第２のプレートとの間に配置されている一定の負荷転移構造を含む。
【００１７】
別の形態において、一定の骨軟骨欠損症のための一定の移植装置が提供されている。この移植装置は一定の吸収性で生体適合性のポリマーにより作成されている一定の上部プレート、上記の吸収性で生体適合性のポリマーにより作成されていて複数の露出用の穴を有している一定の下部プレート、および上記上部プレートと下部プレートとの間に配置されている一定の負荷転移構造を含む。
【００１８】
さらに別の形態において、負荷支持性の骨の関節表面のための一定の移植片が提供されている。この移植片は一定の生体吸収性のポリマーにより作成されていて一定の上部中心穴を有している一定の上部プレート、上記生体吸収性のポリマーにより作成されていて複数の露出用の穴により囲まれている一定の下部中心穴を有している一定の下部プレート、および上記上部プレートの下部表面と上記下部プレートの上部表面との間に配置されている複数の負荷転移用の支持体を含み、これらの負荷転移用の支持体は上記上部および下部の中心穴を囲っている
【発明の効果】
【００１９】
従って、本発明によれば、負荷支持性の領域内における軟骨再生のための一定の移植片が提供できる。また、本発明によれば、一定の負荷を一定の骨のプラットホームにおける一定の関節の表面から肋軟骨下骨に供給する一定の移植片が提供できる。さらに、本発明によれば、肋軟骨下骨の吸収を減少するための一定の負荷支持性の移植片が提供できる。
【発明を実施するための最良の形態】
【００２０】
本発明は種々の変更および代替的な形態が可能であるが、本発明の特定の幾つかの実施形態がそれぞれの添付図面における例示により示されていて、本明細書において詳細に説明されている。しかしながら、本発明をこれらの開示されている特定の形態に限定する意図は全く無く、これとは反対に、本発明がその特許請求の範囲により定められている本発明の趣旨および範囲に該当する全ての変更例、等価物および代替例を含むことが当然に理解されると考える。
【００２１】
次に図１において、顆４２の下方に配置されている符号４０により概略的に示されている一定の骨プラットホームが示されている。この図１の骨プラットホーム４０は一定の脛骨４２の脛骨プラットホーム４０として示されており、顆４２は大腿骨／膝の顆である。なお、これらの脛骨プラットホーム４０および顆４２が任意の類似の骨プラットホームを代表していることが当然に認識されると考える。この脛骨プラットホーム４０は軟骨下骨４５の上方にある半月板４４を支持している。また、この脛骨プラットホーム４０は一定の骨軟骨欠損部分を有していると仮定されている。本発明は骨軟骨欠損症に対応する一定の移植可能な装置を提供している。上記の顆４２は一般的に上記脛骨プラットホーム４０の上に矢印Ｌにより表現される一定の負荷を加える。特に、大腿骨４３におけるそれぞれの顆４２は通常の関節作用において脛骨プラットホーム４０の上に生理学的な負荷を加える。この移植片は一定の内側大腿骨顆（ＭＦＣ）の欠損に対応することを実際に目的としており、本発明者のデータはこのＭＦＣに関連している。あるいは、本発明者は一定のＭＦＣ欠損に関連して図１を説明しているが、さらに脛骨および膝蓋骨等のような別の負荷支持性の表面部分についても言及する必要がある。
【００２２】
次に、図２において、本発明の原理に従う符号５０により概略的に示されている一定の負荷支持性肋軟骨下骨吸収減少用および／または軟骨再生用の移植装置（および、以下における「負荷支持性の移植装置（load bearing implant device）」、「移植片（implant）」等）の一定のブロック図が表現されている。この負荷支持性の移植装置５０は本明細書において図示および説明されている本発明の負荷支持性の移植装置の種々の実施形態の一般的な構造を代表している。
【００２３】
上記負荷支持性の移植装置５０は第１のまたは上部のプラットホーム、プレートまたはこれらの類似物５２および第２のまたは下部のプラットホーム、プレートまたはこれらの類似物５４を含む。なお、これらの指示語「第１（first）」、「第２（second）」、「上部（upper）」および「下部（lower）」が任意であることが当然に認識されると考える。さらに、一定の負荷転移構造５６がこれらの上部および下部のプラットホーム５２，５４の間に挟まれている。この負荷転移構造５６は種々の形態を採ることができるが、上部プラットホーム５２から下部プラットホーム５４に加えられる負荷（例えば、生理学的な負荷）を支持して転移する。さらに、下部プラットホーム５４はこの下部プラットホーム５４が移植される領域（例えば、肋軟骨下骨）に対して上記負荷転移構造５６によりその上部に加えられる負荷を転移する。
【００２４】
上記負荷支持性の移植装置５０はまた一定の固定装置５８を伴って示されている。この固定装置５８はその随意的な性質を示すために断続線により示されている。従って、この固定装置５８は移植片５０において必ずしも必要な部分ではない。しかしながら、上記の移植片はある種の固定装置を有していることが望ましい。この固定装置５８は下部プラットホーム５４から概ね軸方向に延出していて、上記負荷支持性の移植装置５０を骨プラットホームの中に取り付けることを補助するために用いられる。また、この固定装置５８は骨（例えば、脛骨４１または顆４３）の中に移植片を取り付けることに適している種々の形態を採ることができる。
【００２５】
上記の上部および下部のプラットホーム５２，５４は上記負荷転移構造５６の分だけ互いに軸方向に離間している。これらの上部プラットホーム５２と下部プラットホーム５４との間の一定の領域６０は軟骨の再生を支援する一定の生体吸収性の材料（例えば、一定の生物学的なまたは人工的な材料）による一定の支持骨格、基質またはこれらの類似物を保持するために利用できる。従って、この領域６０は一定の支持骨格または基質保持用の領域と呼ぶことができる。上記負荷支持性の移植装置５０はこの装置５０を骨プラットホームの中に移植する前または移植した後にその支持骨格または基質が挿入できるように設計されている。この支持骨格または基質を移植の前または後のいずれにおいて挿入するかは上記負荷支持性の移植装置５０の特定の形態により決まる可能性がある。特に、一定のワンピース型または一部材片型の移植片の設計はその移植の前にその支持骨格を有する可能性があり、一定の二部材片型の移植片はその移植後にその支持骨格を受容する可能性がある。
【００２６】
上記負荷支持性の移植装置５０は一定の生体吸収性（吸収性）の材料により構成されている。このような吸収性の材料は好ましくはポリ（ラクチド）、ポリ（グリコリド）、ポリ（カプロラクトン）、ポリ（ジオキサノン）等のような一定のポリ（エステル）またはこれらの任意の組み合わせ物、コポリマーまたは混合物である。さらに、別の種類の吸収性の材料も使用可能である。
【００２７】
上記下部プラットホーム５４は、必ずしも必要ではないが、好ましくは剛性であり、さらに多孔質である。このような多孔質性は一定の多孔質の材料または種々のボア（中ぐり穴）、穴、気孔等の組み込みにより達成できる。従って、上記下部プラットホーム５４はその移植装置５０が移植される場合にその本体部分がその骨プラットホームにおける肋軟骨下からの種々の生物学的な要素（骨および骨髄）に接触することを可能にする。一方、上記上部プレート５２は好ましくは同様に剛性であるが、多孔質であってもなくてもよい。
【００２８】
上記の負荷転移構造５６は上記上部プレート５２および下部プレート５４の両方に強固に取り付けられて、上記負荷支持性の移植装置５０を概ね一定の単体または単一片の構造にすることができる。特に、この負荷転移構造５６は上部プレート５２の下部表面部分５３および下部プレート５４の上部表面部分５５に接合している。あるいは、この負荷転移構造５６は上部プレート５２に強固に取り付けられて、一定の係合用の機構、構造または形態を介して下部プレート５４に対して取り付けるか接続するための一定の機構、構造または形態を含むことができる。
【００２９】
なお、上記のような概略的な負荷支持性の移植装置５０が以下において説明されている負荷支持性の移植装置の種々の特定の実施形態に適用可能であることが当然に認識されると考える。それゆえ、特別に示されていない限りにおいて、以下において説明されている負荷支持性の移植装置は上記移植装置５０において説明されている特性と同一の特性を有していて、これらを示す。
【００３０】
次に、図３乃至図６において、本発明に従う符号６２により概略的に示されている一定の負荷支持性の移植片の例示的な実施形態が示されている。先ず、この負荷支持性の移植片６２が図２の負荷支持性の移植装置５０に対して１８０°だけ反転して示されていることが当然に認識されると考える。このことはその随意的な固定装置の部分７０を示すことを容易にするためである。
【００３１】
上記負荷支持性の移植装置６２は複数の露出用の気孔、穴、ボア（中ぐり穴）またはその類似物６５を有する第１のプレート、プラットホームまたはその類似物６４を含む。これらの複数の孔６５（この場合に、６個の穴が示されている）はプレート６４の周囲に一定の環状の様式で配列されている。なお、これらの露出用の穴６５の数および／または配列は概ね任意であるが、欠損領域および支持骨格の通常の関節の環境への露出を調整するように配列することができる。すなわち、これらの穴の面積（穴の大きさおよび穴の数）が大きくなるほど、露出の程度が大きくなる。上記プレート６４はまた骨プラットホームの中への上記装置６２の挿入を補助する一定の中心穴またはボア７６も含み、この穴７６の周囲に負荷転移機構が配置されており、この負荷転移機構はこの場合に一定のリング形状の構造である。
【００３２】
上記負荷支持性の移植装置６２はまた複数の露出用の気孔、穴、ボアまたはその類似物６７を有する第２のプレート、プラットホームまたはその類似物６６も含む。この場合も同様に、上記複数の露出用の穴６７（この場合に、６個の穴が示されている）がプレート６６の周囲に一定の環状の様式で配列されている。なお、これらの穴６７の数および／または配列は概ね任意であるが、欠損領域および支持骨格の通常の関節の環境への露出を調整するように配列することができる。すなわち、これらの穴の面積（穴の大きさおよび穴の数）が大きくなるほど、露出の程度が大きくなる。上記プレート６６はまた骨プラットホームの中への上記装置６２の挿入を補助する一定の中心穴またはボア７５も含む。なお、この中心穴７５は直接的に対応する別のボアになることを目的としている。
【００３３】
上記固定装置７０は上記第２のプレート６６から軸方向に突出している一定の管状の本体部分７１を含む。この管状の本体部分７１はプレート６６および６４の中心穴７５および７７に対してそれぞれ同軸に整合している一定の軸方向のボア７２を有している。さらに、複数のフィン（固定装置）７３が管状の本体部分７１から半径方向に突出している。これらのフィン７３は三角形の形状として様式化されている。さらに、これらのフィンは種々のリブ、突起物またはこれらの類似物として実施することも可能であり、骨プラットホームの中の一定の欠損領域内における骨の中に上記管状の本体部分７１を保持することに役立つ（図３２およびこれに関連する説明を参照されたい）。もちろん、上記の固定装置７０は別の形態も採ることができる。
【００３４】
上記の図３乃至図６における負荷支持性の移植装置６２は一定の負荷転移構造６８を含む。この負荷転移構造６８は複数の（例えば、図示されているような４個の）円弧状または弓形の壁部、部分、区域またはこれらの類似物７６として実施できる。これらの弓形の壁部７６は各プレート６６および６４の中心穴７５および７７の周りに配置されている。この実施形態において、上記負荷転移構造６８は上記第１および第２のプレート６４および６６の両方に強固に取り付けられていて、一定のワン−ピース型の負荷支持性の移植装置を構成している。
【００３５】
上記負荷支持性の移植装置６２はまた各プラットホーム６４および６６の間に一定の軟骨支持骨格／基質保持の領域７４も定めている。この保持領域７４は当業界において知られているような一定の軟骨の支持骨格／基質を受容して保持する。
【００３６】
次に、図７乃至図９において、符号８０により概ね示されている本発明の負荷支持性の移植装置の代替的な実施形態が示されている。この負荷支持性の移植装置８０は好ましくは既に論じられている材料と同一の種々の材料により作成されている。さらに、この負荷支持性の移植装置８０は一定の上部または第１のプレートまたはプラットホーム８２および一定の下部または第２のプレートまたはプラットホーム８４を有している。さらに、この上部プレート８２は上記負荷支持性の移植装置６２と同様の様式で欠損領域を露出するための複数のボアまたは穴８３を含む。これら複数の露出用のボア８３は一定の中心ボア８６の周囲に弓形に離間している。一方、下部プレートは上部プレート８２と同様の様式で欠損領域を露出するための複数のボアまたは穴８５を含む。これらの複数のボア８５は中心ボア８７の周囲に弓形に離間している。なお、上記の各プレート８２および８４におけるボア８３および８５の数、寸法および／または配列は適宜に変更可能である。
【００３７】
上記負荷支持性の移植装置８０はまた各プラットホーム８２および８４の間に一定の軟骨支持骨格／基質保持用の領域９０も定めている。この保持領域９０は一定の軟骨の支持骨格／基質を受容して保持する。
【００３８】
図７乃至図９の負荷支持性の移植装置８０はまた一定の負荷転移構造８８も含む。この負荷転移構造８８は複数の（例えば、図示されているような６個の）円柱、円筒体またはこれらの類似物９２として実施されている。さらに、これらの円柱状の壁部９２は各プレート８２および８４の中心穴８６および８７の周囲に配置されている。このような実施形態において、上記負荷転移構造８８は上記第１および第２のプレート８２および８４の両方に強固に取り付けられて一定のワン−ピース型の負荷支持性の移植装置を構成している。なお、上記の負荷転移用の各円柱９２は適宜に変更可能である。
【００３９】
次に、図１０および図１１において、一定の負荷支持性の移植装置の別の代替的な実施形態が符号９６により概略的に示されている。この負荷支持性の移植装置８０は好ましくは既に論じられているような同一の種々の材料により作成されている。この負荷支持性の移植装置９６は一定の上部プレート９８および一定の下部プレート１００を含む。この上部プレート９８は露出用の穴を有していてもいなくてもよい。一方、下部プレート１００は一定の中心ボア１０８の周囲におけるプレートの中において弓形に配列されている複数の露出用のボア１０１を含む。なお、このプレート１００におけるボア１０１の数、寸法および／または配列は適宜に変更可能である。
【００４０】
上記負荷支持性の移植装置９６はまた各プラットホーム９８および１００の間に一定の軟骨支持骨格／基質保持用の領域１０４も定めている。この保持用の領域は一定の軟骨支持骨格／基質を受容して保持する。
【００４１】
図１０および図１１の負荷支持性の移植装置８０は一定の負荷転移構造１０２を含む。この負荷転移構造１０２は複数の（例えば、図示されているような３個の）長方形の壁部、ブロックまたはこれらの類似物１０６として実施されている。これらの長方形の壁部１０６はプレート１００の中心穴１０８から半径方向にそれぞれ延在している。この実施形態において、上記の負荷転移構造１０２は第１および第２のプレート９８および１００の両方に強固に取り付けられて一定のワン−ピース型または単一体の負荷支持性の移植装置を構成している。
【００４２】
次に、図１２および図１３において、一定の上部プレートにおける一定の代替的な実施例または変更例が符号１１０により概略的に示されている。この上部プレート１１０は必ずしも必要ではないが、好ましくは、上記のような一定の高分子材料により作成されている。また、この上部プレート１１０は本明細書において示されている種々の移植片の実施形態のいずれにおいても使用可能である。特に、この上部プレート１１０は本明細書において図示および／または説明されているいずれの負荷支持性の移植装置における上部プレートの代わりに使用することも可能であり、あるいは、本明細書において図示および／または説明されているいずれの負荷支持性の移植装置の上部プレートに取り付けることも可能である。
【００４３】
上記プレート１１０は一定の周縁部１１８により囲まれている一定のドーム型の部分１１４を有する一定の本体部分１１２により定められている。このドーム型の部分１１４は一定の凸上の連続している表面部分１１５およびその下側の一定の凹状の表面部分１１７を定めている。このような変更された上部プレート１１０の形態は一定の顆の形状の関節状に接合する表面部分を構成している。この場合に、必ずしも必要ではないが、好ましくは、この上部プレート１１０は露出用の穴を含まない。すなあち、上記のような露出用の穴の代わりに、この上部プレート１１０は多孔質または中実のいずれにすることもできる。
【００４４】
上記において示されているように、本発明の負荷支持性移植装置の一例の形態は一定の単一片型の設計ではなく一定の二部材片型の設計である。しかしながら、この負荷支持性の移植装置が適当であれば３個以上の部材片により様式化することも可能であることが当然に認識されると考える。
【００４５】
次に、図１４および図１５において、一定の二部材片型の負荷支持性移植装置に対応する、一定の上部プラットホーム構造の代替的な実施形態が符号１２０により概略的に示されている。この上部プラットホーム構造１２０は好ましくは上記のような一定の高分子材料により作成されている。
【００４６】
上記の上部プラットホーム構造１２０は一定の中心ボア１２３の周囲に正確に配列されている複数の露出用の穴またはボアを有する一定のプレート１２２を含む。さらに、一定の負荷転移構造１２５が上記プレート１２２に対して一体になっている（すなわち、単一の構造になっている）。さらに、この負荷転移構造１２５は複数の（例えば、図示のような３個の）長方形のブロックまたは壁部１２６により構成されていて、これらの壁部１２６のそれぞれが一定の係合用の構造１２８を有している。もちろん、上記の負荷転移構造１２５は複数の円柱、リング、くさびまたはこれらの類似物により構成することも可能である。上記の長方形のブロックはプレート１２２の周縁部に向かって中心穴１２３から半径方向に外側にそれぞれ延在している。また、それぞれの係合用または取り付け用の構造１２８は第１および第２のプロング１３０および１３１を含む。さらに、それぞれのプロングは軸方向に上方に延出した後に半径方向に外側に延びて一定のフック形状を定めている。このフック形状は図１６乃至図２０において示されているようにそれぞれのプロングを一定の造形されている下部プレートに対して係合させる。
【００４７】
次に、図１６乃至図２０において、上記図１４および図１５における上部プレート構造１２０と共に使用できる一定の例示的な下部プラットホーム構造が符号１３２により概略的に示されている。これらの上部および下部のプラットホーム構造１２０および１３２は一定の二部材片型のスナップ嵌め式またはプレス嵌め式の移植片の設計を構成している。この下部プレート構造１３２は複数の露出ボア１３６を有する一定のプラットホームまたはプレート１３４により定められている。さらに、上記複数の露出ボア１３６は一定の中心ボア１３７の周囲に正確に備えられている。この場合も同様に、これらの露出ボア１３６の寸法、数および／または配列は望まれる露出の程度に対応して適宜である。
【００４８】
上記プレート１３４はさらに一定のテーパー状、ベベル状または丸み付けしたエッジ部分１３８を有する一定の周縁部１４１を定めている。さらに、複数の長方形のボア１３９が中心ボア１３７から半径方向に外側に延在していて、それぞれのボア１３９は一定の梁部分、棚部分、突出部、タブまたはこれらの類似物１４０を有しており、この棚１４０は一定の接続用、取付用または係合用の構造の一部として内部に延在している。それぞれのボアおよび棚の組み合わせ体は各負荷転移構造１２６における一定のプロング１３０／１３１を受容するように構成されている。さらに、この形態は上部プラットホーム構造１２０の下部プラットホーム構造１３２に対する一定のスナップ嵌め式またはプレス嵌め式の取り付けまたは接続を行なう。
【００４９】
上記の上部プラットホーム構造１２０がそれぞれの負荷転移構造１２６において２個のプロング１３０／１３１を伴って示されているが、下部プレート構造１３２の各受容用のボア１３９が明瞭化のために１個のみのスナップ受容式の構造１４０を示していることが当然に認識されると考える。また、この上部プラットホーム構造を下部プラットホーム構造の上に実際に受容するために、その上部プラットホーム構造における負荷転移構造において１個のみのプロングが存在していてもよく、その受容用のボアの中に２個の受容用の構造が存在していてもよい。
【００５０】
上記の上部プラットホーム構造１２０および下部プラットホーム構造１３２により定められる負荷支持性移植装置の二部材片型の構造はその移植装置の比較的に容易な製造を可能にする。さらに、下部プラットホーム構造１３０が患者の体内に移植された後に、上記の吸収性の軟骨支持骨格／基質がその上に配置される。その後、上部プラットホーム構造１２０がその下部プラットホーム構造１３０の上に配置される。このことは上記負荷支持性の移植装置と共に使用する吸収性の支持骨格／基質の材料の種類を選択する能力を与える。
【００５１】
図１４乃至図２０における二部材片型の軸方向のスナップ嵌め式または圧力嵌め式の設計の場合に、その移植装置に加えられることになるほとんど全ての力は軸方向の負荷になる。従って、上部プラットホーム構造１２０は下部プラットホーム構造からの分離に対して抵抗する。
【００５２】
次に、図２１乃至図２４において、上記図１４および図１５の上部プラットホーム構造と共に使用可能な一定の下部プラットホーム構造の代替的な実施形態が符号１５０により概略的に示されている。この下部プラットホーム構造１５０は一定の上部プラットホーム構造を受容、取り付けおよび保持するための一定のねじれた係止作用を有する形態を備えている。この下部プラットホーム構造１５０は好ましくは上記のような一定の吸収性の高分子材料により作成されている。さらに、この下部プラットホーム構造１５０は好ましくは単一の部材片である。
【００５３】
上記の下部プラットホーム構造１５０は第１の表面部分１５３および反対側の第２の表面部分１５５を定めている一定のディスク形状の本体部分、プレートまたはこれらの類似物１５２により定められている。このプレート１５２はさらに一定の環状の周縁部または外周部１５７を定めており、この周縁部１５７は当該周縁部１５７と角度付きの部分１５８との間において変化している一定の環状のテーパー部分、ベベル部または角度付きの部分１５８を有している。
【００５４】
上記プレート１５２は一定の中心ボアまたは穴１５６の周りに配列されている複数の露出用のボアまたは穴１５４を含む。前述の各プレートと同様に、上記の露出用の穴１５４および中心穴１５６の寸法、数および配列、ならびに、これらの露出用の穴を含むか含まないかについてはその露出の要因に応じてきまる判断に従う。加えて、上記プレート１５２は中心穴１５６の周りにおいて各露出用の穴１５４の近くに配列されている複数の（例えば、図示されているような３個の）造形されたボア１６０を有している。さらに、それぞれの造形されているボア１６０は上部プラットホーム（例えば、図１４における上部プラットホーム構造１２０）の負荷転移構造（例えば、図１４における負荷転移構造１２５）の一定の係合用の構造（例えば、図１４における係合用の構造１２８）を受容して保持することに適合している。
【００５５】
さらに、それぞれの造形されているボア１６０はこのボアの内部に突出している一定の突出部、梁部分、棚部分またはこれらの類似物１６２を有している。さらに、この梁部分は１６２は上記の上部プラットホーム構造における一定のプロングに対応する一定の保持機構を定めている。すなわち、それぞれのプロングは一定の分離している梁部分を必要とすることになる。従って、図１４および図１５における上部プラットホーム構造の２個プロング型の負荷転移構造を受容するためには、それぞれの造形されているボア１６０は２個の梁構造を必要とすることになる。この場合に、一定のプロングが上記の造形されたボアの中に挿入されると、いっていのねじり動作により対応する梁部分がそれぞれの梁部分の下に設置される。従って、この動作のねじりは上記の上部プレート構造を下部プレート構造の中に係止する。
【００５６】
図２５において、一定の上部プラットホーム構造の別の例示的な実施形態が符号１７０により概略的に示されている。この上部プラットホーム構造１７０は一定の二部材片型の負荷支持性の移植構造の一部分の別の実施例を提供している。特に、この上部プラットホーム構造１７０は一定のプレス嵌めまたはスナップ嵌め様式で一定の下部プレート（例えば、図２７乃至図３１のプレート２１０を参照されたい）の上に保持される一定の構造を提供している。
【００５７】
上記の上部プラットホーム構造１７０は上記のような一定の高分子材料により作成されていて、一定のプレート１７２および複数の負荷転移構造１７６を含み、これらの負荷転移構造１７６はそれぞれプレート１７２の一定の上面部１７５から軸方向に延出している。このプレート１７２はまた一定の中心ボア１７４も含む。
【００５８】
それぞれの負荷転移構造１７６はその上部に一定の係合用の構造１７８を有する一定のくさび形構造として様式化されている。さらに、それぞれの係合用の構造１７８は一定の相補的な下部プラットホーム構造またはプレートの中にプレス嵌めにより受容されるように構成されている。特に、それぞれの係合用の構造１７８はこの場合に２個の直径方向に対向しているフランジ１８１を有する一定の円錐台形状の部分（円錐形の部分）１８０として実施されている。なお、２個のフランジ１８１のみが示されているが、上記円錐形の部分１８０は適当と考えられるさらに多数のまたは少数のフランジ１８１を支持することができる。
【００５９】
次に、図２６において、一定の上部プラットホーム構造の別の例示的な実施形態が符号１９０により概略的に示されている。この上部プラットホーム構造１９０は一定の二部材片型の負荷支持性の移植構造の一部分の別の実施例を提供している。特に、上記の上部プラットホーム構造１９０は一定のプレス嵌めまたはスナップ嵌めの様式で一定の下部プレート（例えば、図２７乃至図３１のプレート２１０を参照されたい）の上に保持される一定の構造を提供している。
【００６０】
上記の上部プラットホーム構造１９０は上記のような一定の高分子材料により作成されていて、一定のプレート１９２を含み、このプレート１９２は一定の中心穴１９６の周囲に配列されている複数の露出用のボア１９４を有している。さらに、上記プレート１９２は複数の負荷転移構造１９８を支持しており、これらの負荷転移構造１９８はそれぞれ上記プレート１９２の一定の上面部１９５から軸方向に延出している。さらに、それぞれの負荷転移構造１９８は第１の円錐形状の部分または環状のテーパー部分２００および第２の円錐形状の部分、円錐状またはテーパー状のヘッド部分２０２を有する一定の円柱、管またはこれらの類似物として構成されている。この円錐形状の部分２０２は対応する下部プラットホーム構造の中に挿入される時に負荷転移構造１９８が抜き出て逆行することを防ぐ一定の様式を構成している一定のスカート部分２０３を定めている。また、この円錐形状の部分２０２は肋軟骨下骨の中に固定するための一定の機構を提供することを目的としている。
【００６１】
次に、図２７乃至図３１において、上記２個の例示的な上部プラットホーム構造、すなわち、図２５の構造１７０および図２６の構造１９０の内のいずれか一方に適応できる一定の例示的な下部プラットホーム構造が符号２１０により概略的に示されている。この下部プラットホーム構造２１０は上記のような一定の適当な吸収性の高分子材料により様式化されている一定のプレート、プラットホームまたはこれらの類似物の形状における一定の本体部分２１２により定められている。さらに、このプレート２１２はその第１の表面部分２１３と第２の表面部分２１５との間において一定の環状の周縁部または外周部２１８を定めている。加えて、このプレート２１２は上記の周縁部２１９と第２の表面部分２１５との間に一定の変形部分を形成している一定の環状のテーパー状、ベベル状または角度付きの表面部分を有している。
【００６２】
上記プレート２１２はさらに一定の中心ボア２１４の周囲に配置されている複数の露出用の穴２１６を含む。なお、これらの露出用のボア２１６の寸法、数および／または配列は必要に応じて変更可能である。さらに、それぞれの露出用のボア２１６の間に一定の受容用、受け入れ用または係合用のボア２２０が配置されていて複数の受容用のボア２２０を構成している。図３１において最良に示されているように、それぞれの受容用のボア２２０は円錐形の形状でありノッチ部分２２１を含む。なお、これらのノッチ部分２２１は図２５の上部プラットホーム構造１７０における負荷転移構造１８０の各フランジ１８１の受容を可能にし、図２６の上部プラットホーム構造１９０におけるスカート部分２０３の受容を可能にしている。
【００６３】
最後に、図３２において、一定の骨プラットホーム２２８における欠損領域２３０の中に移植されている本発明の原理に従って様式化されている一定の負荷支持性の移植装置２４０を示している一定の例示的な図が示されている。一定のボア２３６が上記負荷支持性の移植装置２４０における固定装置２４８に適合するように欠損領域の下方の肋軟骨下骨２３２の中に形成されている。
【００６４】
上記負荷支持性の移植装置２４０における第１の下部プレート２４４は軟骨２３４が肋軟骨下骨２３２に接している位置における肋軟骨下骨２３２の近くにまたはこれに近接して配置されている。一方、上記負荷支持性移植装置２４０の第２の上部プレート２４２は軟骨２３４の表面に配置されている。さらに、一定の支持骨格または基質２５２がこの負荷支持性の移植装置の支持骨格／基質の受容領域内において上記２個のプレート２４２，２４４の間に配置されている。
【００６５】
それぞれの実施形態において、一定の関節表面において上記負荷支持性の移植装置の構造（例えば、上部プレート）の上に加えられる負荷または圧力がその生理学的な負荷を上記の負荷転移構造に転移する。その後、この負荷転移構造は肋軟骨下骨の欠損領域に近接している装置の構造（例えば、下部プレート）に負荷を転移する。このようにして肋軟骨下骨に与えられた圧力はその肋軟骨下骨の吸収および／または肋軟骨下骨の合成の刺激を減少する。さらに、この負荷支持性の移植装置自体が吸収性であり、好ましくは１種類以上の吸収性の高分子材料により作成されている。本発明はまた一定の吸収性の軟骨再生用の支持骨格または基質（メッシュ材、発泡体またはこれらの類似物）を受容して保持するための能力により種々の負荷支持性の領域内における軟骨組織の再生も補助する。
【産業上の利用可能性】
【００６６】
本発明は骨軟骨欠損部分に一定の負荷を供給するための一定の移植装置に適用できる。また、別の形態において、本発明は負荷支持性の種々の領域内における骨軟骨欠損部分の軟骨再生を行なうことができる。さらに本発明の移植片は一体型の装置として様式化することができ、あるいは、互いに取り付けられる２個以上の部分として様式化することも可能である。
【００６７】
本発明の具体的な実施態様は以下のとおりである。
（１）骨軟骨欠損症に対応する移植装置において、
一定の吸収性で生体適合性の材料により作成されている第１のプレート、
前記吸収性で生体適合性の材料により作成されている第２のプレート、および
前記吸収性で生体適合性の材料により作成されていて前記第１のプレートと前記第２のプレートとの間に配置されている一定の負荷転移構造を備えている移植装置。
（２）前記吸収性で生体適合性の材料が一定のポリマーである実施態様（１）に記載の移植装置。
（３）前記ポリマーがポリエステルを含む実施態様（２）に記載の移植装置。
（４）前記第２のプレートが多孔質である実施態様（１）に記載の移植装置。
（５）前記第１のプレート、前記第２のプレートおよび前記負荷転移構造が単一の構造を含む実施態様（１）に記載の移植装置。
【００６８】
（６）前記負荷転移構造が前記第１のプレートに対して一体であり、前記第２のプレートにより受容可能である実施態様（１）に記載の移植装置。
（７）さらに、前記第２のプレートから延出している一定の固定装置を備えている実施態様（１）に記載の移植装置。
（８）一定の骨軟骨欠損症に対応する移植装置において、
一定の吸収性で生体適合性のポリマーにより作成されている一定の上部プレート、
前記吸収性で生体適合性のポリマーにより作成されていて複数の露出用のボアを有する一定の下部プレート、および
前記上部プレートと前記下部プレートとの間に配置されている一定の負荷転移構造を備えている移植装置。
（９）さらに、前記下部プレートの一定の下面部から軸方向に延出している一定の固定部材を備えている実施態様（８）に記載の移植装置。
（１０）前記固定部材が複数の半径方向に延出している突起部を有している一定のステム部を含む実施態様（９）に記載の移植装置。
【００６９】
（１１）前記移植装置が前記上部プレートと前記下部プレートとの間に一定の吸収性の軟骨支持骨格を受容することに適合している実施態様（８）に記載の移植装置。
（１２）前記ポリマーがポリエステルを含む実施態様（８）に記載の移植装置。
（１３）前記上部プレートが多孔質である実施態様（８）に記載の移植装置。
（１４）前記上部プレート、前記下部プレートおよび前記負荷転移構造が単一の構造を含む実施態様（８）に記載の移植装置。
（１５）前記負荷転移構造が前記上部プレートと一体であり前記下部プレートにより受容可能である実施態様（８）に記載の移植装置。
【００７０】
（１６）前記負荷転移構造が前記下部プレートの中の受容用のボアの中にプレス嵌めされるように構成されている一定の取付構造を含む実施態様（１５）に記載の移植装置。
（１７）前記負荷転移構造が複数の個別の支持体を含み、前記取付構造がそれぞれの個別の支持体に付随している一定の取付部品を含む実施態様（１６）に記載の移植装置。
（１８）負荷支持性の骨の関節表面に対応する一定の移植片において、
一定の生体吸収性のポリマーにより作成されていて一定の上部の中心ボアを有している一定の上部プレート、
前記生体吸収性のポリマーにより作成されていて複数の露出用のボアにより囲まれている一定の下部の中心ボアを有している一定の下部プレート、および
前記上部プレートの一定の下面部と前記下部プレートの一定の上面部との間に配置されている複数の負荷転移用の支持体を備えており、これらの負荷転移用の支持体が前記上部および下部の中心ボアを囲っている移植片。
（１９）一定の支持骨格保持用の領域が前記負荷転移用の支持体の周囲に定められている実施態様（１８）に記載の移植片。
（２０）さらに、
前記下部プレートの一定の下面部から軸方向に延出している一定の固定部材を含む実施態様（１８）に記載の移植片。
【００７１】
（２１）前記固定部材が
前記上部および下部の中心ボアに対して同軸である一定の中心ボアを有する一定の管、および
前記管の一定の外表面部から半径方向に延出している複数の保持用のフランジを含む実施態様（２０）に記載の移植片。
（２２）前記上部プレート、前記下部プレートおよび前記負荷転移構造が一体の構造を含む実施態様（１８）に記載の移植片。
（２３）前記負荷転移構造が前記上部プレートに対して一体であり、前記下部プレートにより受容可能である実施態様（１８）に記載の移植片。
（２４）前記負荷転移構造が前記下部プレートの中の受容用のボアの中にプレス嵌めされるように構成されている一定の取付構造を含む実施態様（２３）に記載の移植片。
（２５）前記負荷転移構造が複数の個別の支持体を含み、前記取付構造がそれぞれの個別の支持体に付随している一定の取付部品を含む実施態様（２４）に記載の移植片。
【図面の簡単な説明】
【００７２】
【図１】大腿骨顆の下方にある一定の例示的な骨プラットホームを示していて、膝蓋骨も示すことも望んでいる例示的な顆を示している一定の脛骨プラットホームを示している概略図である。
【図２】本発明の原理に従う一定の負荷支持性軟骨再生装置の一定の例示的で概略的な形態を示しているブロック図である。
【図３】本発明の原理に従う一定の負荷支持性軟骨再生装置の一定の例示的な実施形態の拡大した斜視図である。
【図４】図３の負荷支持性軟骨再生装置の側面図である。
【図５】図４の線５−５に沿う図４の負荷支持性軟骨再生装置の断面図であり、特に、その下部プラットホームを部分的に示している図である。
【図６】図４の線６−６に沿う図４の負荷支持性軟骨再生装置の断面図であり、特に、その負荷転移構造を含む、上部プラットホームを示している図である。
【図７】本発明の原理に従う一定の負荷支持性軟骨再生装置の別の例示的な実施形態の拡大した斜視図である。
【図８】図７の負荷支持性軟骨再生装置の側面図である。
【図９】図８の線９−９に沿う図８の負荷支持性軟骨再生装置の断面図であり、特に、その負荷転移構造を、下部プラットホームを示している図である。
【図１０】本発明の原理に従う一定の負荷支持性軟骨再生装置の別の例示的な実施形態の側面図である。
【図１１】図１０の線１１−１１に沿う図１０の負荷支持性軟骨再生装置の断面図であり、特に、その負荷転移構造を含む、下部プラットホームを示している図である。
【図１２】種々の例示的な実施形態と共に利用可能な一定の代替的な上部プラットホームの拡大した下部の斜視図である。
【図１３】図１２の上部プラットホームの側面図である。
【図１４】一定の二部材片型の負荷支持性軟骨再生装置に対応する一体型の負荷転移構造を有する一定のプラットホームの代替的な実施形態の拡大した上部の斜視図であり、これらの負荷転移構造は図１６において示されている装置のような二部材片型の負荷支持性軟骨再生装置における一定の係合用のプラットホームにおける係合用の各構造に係合するように設計されている図である。
【図１５】図１４のプラットホームの上面図である。
【図１６】図１４のプラットホーム構造に対応する一定の例示的な係合用プラットホームの拡大した上部の斜視図である。
【図１７】図１６の例示的な係合用プラットホームの側面図である。
【図１８】図１７の線１８−１８に沿う図１７の例示的な係合用プラットホームの断面図である。
【図１９】図１６の例示的な係合用プラットホームの上面図である。
【図２０】図１９の線２０−２０に沿う図１９の例示的な係合用プラットホームの断面図である。
【図２１】図１４のプラットホーム構造に対応する別の例示的な係合用プラットホームの拡大した上部の斜視図である。
【図２２】図２１の例示的な係合用プラットホームの上面図である。
【図２３】図２１の例示的な係合用プラットホームの側面図である。
【図２４】図２３の線２４−２４に沿う図２３の例示的な係合用プラットホームの断面図である。
【図２５】一定の二部材片型の負荷支持性軟骨再生装置に対応する一体型の負荷転移構造を有する一定のプラットホームの別の代替的な実施形態の拡大した上部の斜視図であり、これらの負荷転移構造は二部材片型の負荷支持性軟骨再生装置の一定の係合用のプラットホームにおける係合用の各構造に係合するように設計されている図である。
【図２６】一定の二部材片型の負荷支持性軟骨再生装置に対応する一体型の負荷転移構造を有する一定のプラットホームのさらに別の代替的な実施形態の拡大した上部の斜視図であり、これらの負荷転移構造は二部材片型の負荷支持性軟骨再生装置の一定の係合用のプラットホームにおける係合用の各構造に係合するように設計されている図である。
【図２７】図２５および／または図２６の各プラットホーム構造に対応する一定の例示的な係合用プラットホームの拡大した上部の斜視図である。
【図２８】図２７の例示的な係合用プラットホームの側面図である。
【図２９】図２８の線２９−２９に沿う図２８の例示的な係合用プラットホームの断面図である。
【図３０】図２７の例示的な係合用プラットホームの上面図である。
【図３１】図３０の線３１−３１に沿う例示的な係合用プラットホームの断面図である。
【図３２】一定の骨の中に移植されている本発明の原理に従う一定の例示的な負荷支持性軟骨再生装置を示している一定の骨および軟骨プラットホームの拡大した側断面図である。
【符号の説明】
【００７３】
４０  脛骨プラットホーム
４１  脛骨
４２  顆
４３  大腿骨
４４  半月板
４５  肋軟骨下骨
５０  移植装置
５２  上部プラットホーム
５４  下部プラットホーム
５６  負荷転移構造
５８  固定装置
６２  移植装置
６４  第１のプレート
６５  穴
６６  第２のプレート
６７  穴
６８  負荷転移構造
７０  固定装置
７２  軸穴
７５，７７  中心穴
７６  弓形の壁部
８０  移植装置
８２  上部プレート
８３，８５  穴
８４  下部プレート
８６，８７  中心穴
８８  負荷転移構造
９０  保持領域
９６  移植装置
９８  上部プレート
１００  下部プレート
１０１  穴
１０２  負荷転移構造
１０４  保持領域
１０８  中心穴
１１０  上部プレート
１１２  本体部分
１１４  ドーム型部分
１１８  周縁部
１２０  上部プラットホーム構造
１２２  プレート
１２３  中心穴
１２４  穴
１２５  負荷転移構造
１２６  壁部
１２８  係合用構造
１３０，１３１  プロング
１３２  下部プラットホーム構造
１３４  プレート
１３６  穴
１３７  中心穴
１３９  長方形の穴
１４１  周縁部
１５０  下部プラットホーム構造
１５２  プレート
１５４  穴
１５６  中心穴
１６０  形付けされた穴
１７０  上部プラットホーム構造
１７２  プレート
１７４  中心穴
１７６  負荷転移構造
１７８  係合用の構造
１９０  上部プラットホーム構造
１９２  プレート
１９４  穴
１９６  中心穴
１９８  負荷転移構造
２００  テーパー部分
２０２  円錐形部分
２１０  下部プラットホーム構造
２１２  本体部分
２１４  中心穴
２１６  穴
２１８  周縁部
２２０  係合用の穴
２２８  骨プラットホーム
２３０  欠損領域
２３４  軟骨
２３６  穴
２４０  移植装置
２４４  下部プレート
２４２  上部プレート
２４８  固定装置
２５２  支持骨格
【図１】
2005169117.tif 000003
【図２】
2005169117.tif 000004
【図３】
2005169117.tif 000005
【図４】
2005169117.tif 000006
【図５】
2005169117.tif 000007
【図６】
2005169117.tif 000008
【図７】
2005169117.tif 000009
【図８】
2005169117.tif 000010
【図９】
2005169117.tif 000011
【図１０】
2005169117.tif 000012
【図１１】
2005169117.tif 000013
【図１２】
2005169117.tif 000014
【図１３】
2005169117.tif 000015
【図１４】
2005169117.tif 000016
【図１５】
2005169117.tif 000017
【図１６】
2005169117.tif 000018
【図１７】
2005169117.tif 000019
【図１８】
2005169117.tif 000020
【図１９】
2005169117.tif 000021
【図２０】
2005169117.tif 000022
【図２１】
2005169117.tif 000023
【図２２】
2005169117.tif 000024
【図２３】
2005169117.tif 000025
【図２４】
2005169117.tif 000026
【図２５】
2005169117.tif 000027
【図２６】
2005169117.tif 000028
【図２７】
2005169117.tif 000029
【図２８】
2005169117.tif 000030
【図２９】
2005169117.tif 000031
【図３０】
2005169117.tif 000032
【図３１】
2005169117.tif 000033
【図３２】
2005169117.tif 000034
【外国語明細書】
2005169117000001.pdf